(57)【要約】【課題】巻回作業および巻回解除作業に際し、落下することなく迅速、容易に行えると共に、カートと共に一括して保管可能とした積載物用荷崩れ防止装置を提供する。【解決手段】各種の積載物を積載して運搬でき、またその儘で陳列できるように、左右側面に保護柵を配し、前後面を開放して成るカートＰ上の積載物周囲を巻回したものとなって当該積載物の荷崩れを防止するためのベルト本体１を形成する。このベルト本体１の一端部に連結した上下のベルト連結用面ファスナー帯２ａ，２ｂと、該ベルト連結用面ファスナー帯２ａ，２ｂに対向して、ベルト本体１の他端部に連結した挿通環３ａ，３ｂと、ベルト本体１の一端部にベルト長手方向の沿って突設したカート止め用面ファスナー帯４とを備える。【選択図】図１
0003130144.tif 000002
【実用新案登録請求の範囲】
【請求項１】
各種の積載物を積載して運搬可能で、またその儘で陳列可能とするように、左右側面に保護柵を配し、前後面を開放して成るカートに積載物を積載し、ベルト本体がカート上の積載物周囲を巻回したものとなって当該積載物の荷崩れを防止する積載物用荷崩れ防止装置であって、ベルト本体には、その一端部に連結された上下のベルト連結用面ファスナー帯と、該ベルト連結用面ファスナー帯に対向して、ベルト本体の他端部に連結された挿通環と、ベルト本体の一端部にベルト長手方向に沿って突設したカート止め用面ファスナー帯とを備えたことを特徴とする積載物用荷崩れ防止装置。
【請求項２】
各種の積載物を積載して運搬可能で、またその儘で陳列可能とするように、左右側面に保護柵を配し、前後面を開放して成るカートに積載物を積載し、ベルト本体がカート上の積載物周囲を巻回したものとなって当該積載物の荷崩れを防止する積載物用荷崩れ防止装置であって、ベルト本体には、その一端部に連結された上下のベルト連結用面ファスナー帯と、該ベルト連結用面ファスナー帯に対向して、ベルト本体の他端部に連結された挿通環と、ベルト本体の他端部外側にベルト長手方向に対してほぼ直角に突設したカート止め用面ファスナー帯とを備えたことを特徴とする積載物用荷崩れ防止装置。
【考案の詳細な説明】
【技術分野】
【０００１】
本考案は、例えば左右側面に保護柵を配し且つ前後面を開放し、積載物を段積み状に積載可能とし、そのままで陳列可能としてあるいわゆる６輪カートと称される荷役用のカート上の各種の積載物を結束し、荷崩れを防止するようにした積載物用荷崩れ防止装置に関する。
【背景技術】
【０００２】
従来から荷役・陳列用のいわゆる６輪カート上に積載された各種の積載物の荷崩れを防止するために、その積載物周囲をベルト・バンド等の所定幅員の帯状材で結束することが行われている。こうした荷崩れ防止ベルトとしては、繰り返し使用でき、また結束時の安定性が得られるように、例えば合成樹脂生地材製の所定幅員の帯状のものとして構成されており、これらはいずれも積載物の周囲を巻回して、適宜な締結手段によってベルト本体の端部相互を連結することで積載物の周囲をしっかりと締結するものである。
【０００３】
従来におけるこのような積載物用荷崩れ防止装置としては、例えば、特許文献１に開示されているように、左右側面に保護柵を配し且つ前後面を開放し、積載物を段積み状に積載可能としたカートの保護柵周囲、もしくはカートに積載されている積載物周囲を巻回するに足りる長さを有し、端部相互が牽引されて引き締められた状態で互いに連結固定する固定手段を介して保護柵周囲もしくは積載物周囲に固定保持可能にした少なくとも２つのシートカバーを備え、カートの保護柵周囲、もしくはカートに積載されている積載物周囲でシートカバーを複数段状に巻回配置させると共に、下段側に配したシートカバーの外側面に配した面ファスナーと上段側に配したシートカバーの内側面に配した面ファスナーとを相互に止着して上下で一体状にする止着手段を備えて成るものがある。
【０００４】
また、特許文献２に開示されているように、カートの保護柵と共に積載物周囲を巻回した後にベルト本体の端部相互を重ね合わせるとき、外側に位置させたベルト本体の一端部にベルト本体自体の長さ方向に沿って開口形成したスリット内から、内側に位置させたベルト本体の他端部に連結してある把手を外出させ、前記の一端部に連結してある把手と共に互いに反対方向に牽引して積載物周囲を締め付け、面ファスナーによって固定することで、ベルト本体が積載物周囲を巻回したものとなって積載物の荷崩れを防止する荷崩れ防止ベルトがある。
【０００５】
さらに、特許文献３に開示されているように、カートの保護柵と共に積載物周囲を巻回した後にベルト本体の端部相互を重ね合わせるとき、ベルト本体の一端部に帯状に突設配置した上下の面ファスナー帯をベルトの他端部に付設してある挿通環に挿通して折り返した後、面ファスナー帯の端部を面ファスナー帯本体部に固定することで、ベルト本体が積載物周囲を巻回したものとなって積載物の荷崩れを防止する荷崩れ防止ベルトがある。これの使用状態は、積載物の高さに対応してベルト本体を複数段状で使用して固定保持するのであり、このとき最上段に配置したベルト本体においては前後面で跨がせた補助止着ベルトによって相互に止着する。不使用時においては、ベルト本体を例えば巻回した後にベルト本体の端部中央に帯状に突設したカート止め用面ファスナー帯にて仮止めし、ベルト本体の端部外側に配したフック部材でカートに係止することでカートと共に一括して保管できるものである。
【特許文献１】特開２００４−１４２８１１号公報
【特許文献２】意匠登録第１１８４７５６号公報
【特許文献３】意匠登録第１２１１１４３号公報
【考案の開示】
【考案が解決しようとする課題】
【０００６】
しかしながら、従来においては、特許文献１の場合、カートに積載されている積載物周囲でシートカバーを複数段状に巻回配置させ、シートカバーの端部相互が牽引されて引き締められた状態で互いに連結固定する固定手段を介して保護柵周囲もしくは積載物周囲に固定保持するに際し、シートカバー自体が落下しないようにしっかりと手で押さえがら巻回しなければならず、巻回作業が非常にやりづらいものであった。
【０００７】
また、特許文献２の場合、外側に位置させたベルト本体の一端部にベルト本体自体の長さ方向に沿って開口形成したスリット内から、内側に位置させたベルト本体の他端部に連結してある把手を外出させ、前記の一端部に連結してある把手と共に互いに反対方向に牽引して積載物周囲を締め付けるに際し、シートカバー自体が落下しないようにしっかりと手で押さえながら締め付けなければならないから、締め付け作業が非常にやりづらいものであることに変りはない。
【０００８】
さらに、特許文献３の場合、ベルト本体の一端部に帯状に突設配置した上下の面ファスナー帯をベルトの他端部に付設してある挿通環に挿通して折り返した後、面ファスナー帯の端部を面ファスナー帯本体部に固定するに際し、上記の特許文献等と同様にシートカバー自体が落下しないようにしっかりと手で押さえながら折り返して固定しなければならず、折り返し作業および固定作業が非常にやりづらいものであった。
【０００９】
しかも、上記した特許文献１乃至３の何れにおいても、保護柵周囲もしくは積載物周囲に固定保持されているシートカバー・ベルト本体を巻回解除する際には、これらはカートに対して何等の支持がなくフリーな状態となっているため、巻回解除作業中にシートカバー・ベルト本体が落下することがあり、また、使用後では別に保管する等によって取扱いが面倒でもあった。
【００１０】
そこで、本考案は叙上のような従来存した諸事情に鑑み創案されたもので、カートと一体化しておくこととで、巻回作業および巻回解除作業に際し、落下することなく迅速、容易に行えるものとなり、またカートと共に一括して保管可能とした積載物用荷崩れ防止装置を提供することを目的とする。
【課題を解決するための手段】
【００１１】
上述した課題を解決するため、本考案にあっては、各種の積載物Ｃを積載して運搬可能で、またその儘で陳列可能とするように、左右側面に保護柵を配し、前後面を開放して成るカートＰに積載物Ｃを積載し、ベルト本体１がカートＰ上の積載物Ｃ周囲を巻回したものとなって当該積載物Ｃの荷崩れを防止する積載物用荷崩れ防止装置であって、ベルト本体１には、その一端部に連結された上下のベルト連結用面ファスナー帯２ａ，２ｂと、該ベルト連結用面ファスナー帯２ａ，２ｂに対向して、ベルト本体１の他端部に連結された挿通環３ａ，３ｂと、ベルト本体１の一端部にベルト長手方向に沿って突設したカート止め用面ファスナー帯４とを備えたものである。
また、各種の積載物Ｃを積載して運搬可能で、またその儘で陳列可能とするように、左右側面に保護柵を配し、前後面を開放して成るカートＰに積載物Ｃを積載し、ベルト本体１がカートＰ上の積載物Ｃ周囲を巻回したものとなって当該積載物Ｃの荷崩れを防止する積載物用荷崩れ防止装置であって、ベルト本体１には、その一端部に連結された上下のベルト連結用面ファスナー帯２ａ，２ｂと、該ベルト連結用面ファスナー帯２ａ，２ｂに対向して、ベルト本体１の他端部に連結された挿通環３ａ，３ｂと、ベルト本体１の他端部外側にベルト長手方向に対しほぼ直角に突設したカート止め用面ファスナー帯５とを備えたものとできる。
【００１２】
以上のように構成された本考案に係る積載物用荷崩れ防止装置にあって、各種の積載物Ｃを積載して運搬可能で、またその儘で陳列可能となるように、左右側面に保護柵を配し、前後面を開放して成るカートＰに積載物Ｃを積載し、カートＰの保護柵と共に積載物Ｃ周囲を巻回した後にベルト本体１の端部相互を重ね合わせるとき、ベルト本体１の一端部に帯状に突設配置した上下のベルト連結用面ファスナー帯２ａ，２ｂをベルト本体１の他端部に付設してある挿通環３ａ，３ｂに挿通して折り返した後、ベルト連結用面ファスナー帯２ａ，２ｂの端部を当該ベルト連結用面ファスナー帯２ａ，２ｂ本体部に固定することで、ベルト本体１が積載物Ｃ周囲を巻回したものとなって積載物Ｃの荷崩れを防止させる。
ベルト本体１の使用または収納に際し、一端部側にあるカート止め用面ファスナー帯４、または他端部側にあるカート止め用面ファスナー帯５によってベルト本体１がカートＰに常時係止された状態であるため、ベルト本体１の積載物Ｃに対する巻回作業および巻回解除作業を容易にさせる。
【考案の効果】
【００１３】
本考案によれば、いわゆる６輪カートと称されるカートＰと一体化しておくことで、カートＰに積載した積載物ＣをカートＰと共に巻回して、その荷崩れを防止するとき、従来と異なり、巻回作業および巻回解除作業に際し、ベルト本体１がカートＰに係止されたままであるから、落下することなく迅速、容易に行えるものとなり、またカートＰと共に一括して保管収納しておくことができる。
【００１４】
すなわち、これは本考案が、ベルト本体１の一端部にベルト長手方向に沿って突設したカート止め用面ファスナー帯４を備えたからであり、これによって、ベルト本体１の使用または収納に際し、カート止め用面ファスナー帯４によってベルト本体１がカートＰに常時支持されるため、ベルト本体１の他端部からの巻回作業または巻回解除作業がスムーズに行え、しかも、ベルト本体１をカートＰと一体にして保管収納しておくことができる。すなわち、カート止め用面ファスナー帯４にてカートＰに係止し、ベルト本体１の他端部から巻回した後に上下のベルト連結用面ファスナー帯２ａ，２ｂをカートＰと共にベルト本体１に巻回して当該ベルト本体１の一端部に付設された面ファスナー（８）部分に係止固定することでカートＰと一括にしての収納が可能である。
【００１５】
また、ベルト本体１の他端部外側にベルト長手方向に対しほぼ直角に突設したカート止め用面ファスナー帯５を備えたので、ベルト本体１の使用または収納に際し、カート止め用面ファスナー帯５によってベルト本体１がカートＰに常時吊持された状態で、積載物Ｃに対するベルト本体１の巻回作業、またはベルト本体１の他端部からの順次折り畳み収納作業がスムーズに行え、しかも、ベルト本体１をカートＰと一体にして保管収納しておくことができる。すなわち、カート止め用面ファスナー帯５にてベルト本体１をカートＰに連結し、ベルト本体１の一端部から順次半分に折り畳んだ後に上下のベルト連結用面ファスナー帯２ａ，２ｂをベルト本体１に巻回してベルト本体１の他端部に付設された面ファスナー（８）部分に係止固定することでカートＰと一括にしての収納が可能である。
【００１６】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１７】
以下、図面を参照して本考案を実施するための最良の一形態を説明する。図において示される符号１は、所定幅員を有するベルト本体であり、例えば米袋等の各種の積載物Ｃを積載して運搬でき、またその儘で陳列できるように、左右側面に保護柵を配し、前後面を開放して成る荷役用の、いわゆる６輪カートと称されるカートＰ上に段積み状に積載された袋物状の積載物Ｃを、図９に示すようにカートＰと共にほぼ水平方向で巻回装着するに足りる長さと幅員とを備えた帯状に形成されている。
【００１８】
すなわち、このベルト本体１は、積載物Ｃをほぼ水平方向で巻回装着するように、段積みされた積載物Ｃの上下方向で必要があれば複数段に跨がって掛け渡される例えば４５ｃｍ程度の上下方向の幅員と、積載物Ｃの周囲を水平方向で囲繞するに足りる例えば２８０ｃｍ程度の長さとを備えたものとなっている。これの形成素材は例えばポリエステル繊維をポール・グラスファイバーと共に織成したものであり、外部からの衝撃、破断力その他に対しては容易には破断されない程度の強靱性を備えたものとしてある。
【００１９】
また、このベルト本体１には、図１に示すように、その一端部における上下位置の長手方向側縁部に沿ってベルト連結用面ファスナー帯２ａ，２ｂが縫着等によって連結され、該ベルト連結用面ファスナー帯２ａ，２ｂに対向して、ベルト本体１の他端部における上下側縁部位置には角環と称される金属製の挿通環３ａ，３ｂが縫着等によって連結されている。このベルト連結用面ファスナー帯２ａ，２ｂは、ＰＰテープの片面において基部側に配した長さ約８５ｃｍ程度の雌側の面ファスナー６と、自由端部側に配した長さ約１５ｃｍ程度の雄側の面ファスナー７とが縫着等によって連設配置されて成る。
【００２０】
ベルト本体１の使用に際し、カートＰ上に段積み状に積載されている積載物Ｃを、カートＰと共にほぼ水平方向で巻回装着してから、ベルト連結用面ファスナー帯２ａ，２ｂを挿通環３ａ，３ｂに挿通して折り返し状に反転させる。そして、ベルト連結用面ファスナー帯２ａ，２ｂを牽引することで積載物ＣをカートＰと共にベルト本体１で巻き締める状態にしてから、ベルト連結用面ファスナー帯２ａ，２ｂに連設配置してある雌雄の面ファスナー６，７同士を貼着接合することによって固定して積載物Ｃの荷崩れを防止するものとしてある（図９参照）。
【００２１】
また、ベルト本体１の一端部には、上側のベルト連結用面ファスナー帯２ａ，２ｂに隣接してカート止め用面ファスナー帯４が連結されている。すなわち、このカート止め用面ファスナー帯４は、長さが例えば約４７ｃｍ程度のＰＰテープの基部側である約２５ｃｍ程度の部分が、ベルト本体１の一端部における上側のベルト連結用面ファスナー帯２ａ，２ｂに隣接して縫着等によって連結され、ＰＰテープの露出側片面において基部側に配した長さ約３５ｃｍ程度の雌側の面ファスナー６と、自由端部側に配した長さ約１０ｃｍ程度の雄側の面ファスナー７とが縫着等によって連設配置されて成る。
【００２２】
さらに、ベルト本体１の一端部外側には、図１に示すように、上側のベルト連結用面ファスナー帯２ａ，２ｂにほぼ直交するようにして連結されたリップ状のカート止め用面ファスナー帯５が配置されている。すなわち、このカート止め用面ファスナー帯５は、前記したカート止め用面ファスナー帯４の幅員よりも細いＰＰテープの基部側が、ベルト本体１の一端部外側に縫着等によって連結され、ＰＰテープの基部側に配した雌側の面ファスナー６と、自由端部側に配した雄側の面ファスナー７とが縫着等によって連設配置されて成る。
【００２３】
また、図２に示すように、ベルト本体１の一端部中央には、ベルト連結用面ファスナー帯２ａ，２ｂの雄側の面ファスナー７を貼着固定するためのベルト連結用面ファスナー帯固定用の雌側の面ファスナー８が縫着等によって付設されている。
【００２４】
次に、以上のように構成された最良の形態についての使用の一例について説明する。使用時でのベルト本体１の積載物Ｃへの巻回作業、不使用時でのベルト本体１の巻回解除および収納保管に際し、図１または図２に示すように、カート止め用面ファスナー帯４をカートＰの例えば縦棒たる支柱状の保護柵の一本に折り返し状に巻き込んでからカート止め用面ファスナー帯４に配置形成してある雌雄の面ファスナー６，７によって貼着接合することによって常時連結しておく。
【００２５】
そして、カートＰに積載した米袋等の如き積載物Ｃの荷崩れを防止するには、図１に示すようにベルト本体１を展開し、積載物Ｃと共にカートＰ周囲を巻回し、ベルト連結用面ファスナー帯２ａ，２ｂそれぞれを挿通環３ａ，３ｂに挿通し、折り返し引き締めて貼着接合することで固定する。
【００２６】
また、不使用時でのベルト本体１の巻回解除の場合には、先ず、ベルト連結用面ファスナー帯２ａ，２ｂを挿通環３ａ，３ｂから取り外し、ベルト本体１の表を内側にして他端部側から一端部側までロール状に巻回する。その後、図３に示すように、上下のベルト連結用面ファスナー帯２ａ，２ｂそれぞれを、巻回したベルト本体１にカートＰの保護柵の支柱ごと例えば２回だけ巻回してから当該ベルト連結用面ファスナー帯２ａ，２ｂの雄側の面ファスナー７を、ベルト本体１の一端部中央の雌側の面ファスナー８に貼着接合することでベルト本体１自体をカートＰと共に一括して保管させる（図８参照）。
【００２７】
不使用時でのベルト本体１の他の巻回解除および収納保管例としては、図４に示すように、先ず、ベルト本体１の表を内側にして他端部側から一端部側までロール状に巻回し、上下のベルト連結用面ファスナー帯２ａ，２ｂを、巻回したベルト本体１に巻回して、当該ベルト連結用面ファスナー帯２ａ，２ｂの雄側の面ファスナー７を、ベルト本体１の一端部中央の雌側の面ファスナー８に接合してロール状に纏め固定した後に、ベルト本体１の一端部外側に帯状に突設したカート止め用面ファスナー帯５にてベルト本体１自体をカートＰの保護柵の支柱に連結しておいて、カートＰと共に一括して保管させても良い（図８参照）。
【００２８】
尚、上記したカート止め用面ファスナー帯４およびカート止め用面ファスナー帯５は、ベルト本体１の使用に際し、カートＰ上に段積み状に積載されている積載物Ｃを、カートＰと共にほぼ水平方向で巻回装着する際のカートＰに対する常時連結用の安定支持帯材として利用可能であることは勿論である。
【００２９】
図５乃至図６には、ベルト本体１の他の構成例が示されている。尚、本例において前記と同じ部分には同一の符号を附することでその詳細な説明を省略する。すなわち、図５に示すように、前記したカート止め用面ファスナー帯５は、挿通環３ａ，３ｂが連結されているベルト本体１の他端部外側に連結配置されている。このとき、カート止め用面ファスナー帯５は、この雌雄の面ファスナー部分６，７が、上下のベルト連結用面ファスナー帯２ａ，２ｂと同様に表側に向けられるように配置される。また、ベルト本体１の他端部中央には、ベルト連結用面ファスナー帯２ａ，２ｂの雄側の面ファスナー７を貼着固定するためのベルト連結用面ファスナー帯固定用の雌側の面ファスナー８が縫着等によって付設されている。
【００３０】
これによって、積載物ＣをカートＰと共に巻回装着するのは先の実施の形態における使用と同様である。そして、不使用時でのベルト本体１の収納保管に際しては、図５に示すように、ベルト本体１の他端部外側に帯状に突設したカート止め用面ファスナー帯５にてベルト本体１自体をカートＰの横棒たる桟状の保護柵に連結しておく。そして、図６（ａ）に示すように、ベルト本体１の表を外側にしてほぼ中央部分から半分に折り畳む。図６（ｂ）に示すように、もう一度、中央部分から半分に折り畳む。図６（ｃ）に示すように、さらに数回にわたり中央部分から半分に折り畳む。このとき、図６（ｄ）に示すように、ベルト本体１の一端部における上下のベルト連結用面ファスナー帯２ａ，２ｂそれぞれは、折り畳まれたベルト本体１から外方に突出した状態となる。
【００３１】
このようにしてベルト本体１の一端部から順次半分毎に折り畳んだ後に、図６（ｅ）に示すように、上下のベルト連結用面ファスナー帯２ａ，２ｂそれぞれを、折り畳まれたベルト本体１に例えば２回だけ巻回してから当該ベルト連結用面ファスナー帯２ａ，２ｂの雄側の面ファスナー７を、ベルト本体１の他端部中央の雌側の面ファスナー８に接合することでベルト本体１自体をカートＰと共に一括して保管させるのである（図７参照）。
【００３２】
尚、図９においては複数段で巻回装着した場合を示すが、単独の１本で巻回装着して使用できるのは勿論である。また、特に複数段で巻回装着する場合に、積載物Ｃの上下方向に沿ってカートＰとともに上下方向で連結固定するよう、図示を省略した補助ベルトを上下方向で巻回固定する面ファスナーから成る補助ベルト固定部１０をベルト本体１の外側面に設けておくこともある。
【図面の簡単な説明】
【００３３】
【図１】本考案を実施するための最良の形態におけるベルト本体の一例を示す展開状態の正面図である。
【図２】同じく不使用時に保管するときでのベルト本体を巻回している状態の斜視図である。
【図３】同じく収納保管状態のベルト本体を示す斜視図である。
【図４】同じく他の収納保管状態にあるベルト本体を示す斜視図である。
【図５】本考案を実施するための最良の形態における他例のベルト本体を示す一部省略正面図である
【図６】ベルト本体の折り畳み手順の一例を示すもので、（ａ）はベルト本体を半分に折り畳んだ状態の平面図、（ｂ）はベルト本体をもう一度半分に折り畳んだ状態の平面図、（ｃ）はベルト本体をさらに数回折り畳んだ状態の平面図、（ｄ）は折り畳み後のベルト本体から上下のベルト連結用面ファスナー帯それぞれが突出している状態の平面図、（ｅ）は折り畳まれたベルト本体にベルト連結用面ファスナー帯を巻回固定した状態の平面図である。
【図７】同じくカートに一体化して収納保管状態にあるベルト本体を示す斜視図である。
【図８】同じくベルト本体を収納した状態の一例を示すカートの斜視図である。
【図９】カート上の積載物に対しベルト本体を複数段で使用した一例を示す斜視図である。
【符号の説明】
【００３４】
Ｐ…カート                              Ｃ…積載物
１…ベルト本体                          ２ａ，２ｂ…ベルト連結用面ファスナー帯
３ａ，３ｂ…挿通環                      ４…カート止め用面ファスナー帯
５…カート止め用面ファスナー帯          ６…雌側の面ファスナー
７…雄側の面ファスナー
８…ベルト連結用面ファスナー帯固定用の雌側の面ファスナー
１０…補助ベルト固定部
【図１】
0003130144.tif 000003
【図２】
0003130144.tif 000004
【図３】
0003130144.tif 000005
【図４】
0003130144.tif 000006
【図５】
0003130144.tif 000007
【図６】
0003130144.tif 000008
【図７】
0003130144.tif 000009
【図８】
0003130144.tif 000010
【図９】
0003130144.tif 000011